(57)【特許請求の範囲】
【請求項１】
器具本体に貫通孔が形成された照明器具を梱包するための緩衝材であって、前記貫通孔内に挿入される挿入部と、前記器具本体に設けられた被係合部と係合する係合部と、前記被係合部に係合する係合位置と前記被係合部に係合しない非係合位置との間で、前記係合部を前記挿入部に対して変位自在に支持する支持部と、外部からの操作力を受けて前記係合部を前記係合位置から前記非係合位置に変位させる操作部とを備え、前記操作部は、前記係合部から前記挿入部の内側に突出する平板状に形成されることを特徴とする緩衝材。
【請求項２】
前記挿入部は、弾性を有する材料で筒状に形成され、前記支持部は、前記挿入部の一部がスリットで分断されてなることを特徴とする請求項１記載の緩衝材。
【請求項３】
前記挿入部は筒状に形成され、前記挿入部の内側に補強用のリブが設けられることを特徴とする請求項１又は２記載の緩衝材。
【請求項４】
前記器具本体が載置される台座部を備え、前記台座部は、前記器具本体が載置される載置面に前記挿入部が突設され、前記載置面における前記挿入部の周囲に段差が設けられていることを特徴とする請求項１〜３の何れか１項に記載の緩衝材。
【請求項５】
請求項１〜４の何れかの緩衝材と、前記緩衝材を保持する保持板と、前記緩衝材が前記器具本体の貫通孔に装着された照明器具と、前記照明器具を前記緩衝材及び前記保持板を収納する梱包箱とを有することを特徴とする梱包物。
【発明の詳細な説明】
【技術分野】
【０００１】
本発明は、照明器具を梱包する際に用いられる緩衝材、並びにその緩衝材を用いて梱包された梱包物に関する。
【背景技術】
【０００２】
従来の緩衝材として、例えば、特許文献１に記載されているものがある。この従来例は、天井に設けられている引掛シーリングボディ(ＪＩＳ  Ｃ  ８３１０参照)に取付アダプタを介して取り付けられる照明器具の梱包に使用される。
【０００３】
照明器具は、円板状に形成されて中央に円形の貫通孔が設けられた器具本体、器具本体の下面側に設けられるランプソケット、器具本体の下面側における貫通孔の周囲に配置される点灯装置(蛍光灯電子安定器)、器具本体の下面を覆うグローブなどを備える。
【０００４】
取付アダプタは、器具本体の貫通孔内に挿入される円柱形状の器体、器体の上面より突出して引掛シーリングボディの引掛刃用刃受部に引っ掛けられる一対の引掛刃、器体の周面より進退自在に突出する一対の係合爪などを有する。
【０００５】
すなわち、引掛刃が引掛刃用刃受部に引っ掛けられることで取付アダプタが引掛シーリングボディに取り付けられ、その取付アダプタが器具本体の貫通孔に挿入されると、一対の係合爪が貫通孔の周面に形成されている溝に係合する。その結果、器具本体が取付アダプタに保持されて天井に取り付けられる。なお、点灯装置から引き出される電源コードの先端にプラグが設けられており、取付アダプタに設けられているレセプタクルに前記プラグが接続されることで取付アダプタ及び引掛シーリングボディを介して、点灯装置が商用電源に接続される。
【０００６】
特許文献１記載の緩衝材は、照明器具が載置される位置決め緩衝材と、器具本体の貫通孔に挿通されるとともに貫通孔周面の溝に嵌合する突起を有した固定緩衝材とを備え、突起が溝に嵌合することで器具本体に固定される。
【先行技術文献】
【特許文献】
【０００７】
【特許文献１】特開２０１１−１２１６３４号公報
【発明の概要】
【発明が解決しようとする課題】
【０００８】
ところで、特許文献１記載の従来例では、梱包された梱包物(梱包された照明器具)を開梱する際、固定緩衝材に設けられている４つの突起を全て溝から脱出させて固定緩衝材を器具本体から取り外す必要がある。しかしながら、４つの突起を溝から脱出させる作業をほぼ同時に行うことは非常に困難であり、開梱作業の作業性がよくなかった。
【０００９】
本発明は、上記課題に鑑みて為されたものであり、開梱作業の作業性の向上を図ることを目的とする。
【課題を解決するための手段】
【００１０】
本発明の緩衝材は、器具本体に貫通孔が形成された照明器具を梱包するための緩衝材であって、前記貫通孔内に挿入される挿入部と、前記器具本体に設けられた被係合部と係合する係合部と、前記被係合部に係合する係合位置と前記被係合部に係合しない非係合位置との間で、前記係合部を前記挿入部に対して変位自在に支持する支持部と、外部からの操作力を受けて前記係合部を前記係合位置から前記非係合位置に変位させる操作部とを備え、前記操作部は、前記係合部から前記挿入部の内側に突出する平板状に形成されることを特徴とする。
【００１１】
この緩衝材において、前記挿入部は、弾性を有する材料で筒状に形成され、前記支持部は、前記挿入部の一部がスリットで分断されてなることが好ましい。
【００１２】
この緩衝材において、前記挿入部は筒状に形成され、前記挿入部の内側に補強用のリブが設けられることが好ましい。
【００１３】
本発明の梱包物は、前記何れかの緩衝材と、前記緩衝材を保持する保持板と、前記緩衝材が前記器具本体の貫通孔に装着された照明器具と、前記照明器具を前記緩衝材及び前記保持板を収納する梱包箱とを有することを特徴とする。
【発明の効果】
【００１４】
本発明の緩衝材及び梱包物は、操作部に操作力を加えて係合部を係合位置から非係合位置に変位させることにより、係合部を被係合部から離脱させることができ、その結果、従来例において、固定緩衝材に設けられている４つの突起を全て溝から脱出させて固定緩衝材を器具本体から取り外す場合と比較して、緩衝材を容易に照明器具から取り外すことができ、開梱作業の作業性の向上を図ることができるという効果がある。
【図面の簡単な説明】
【００１５】
【図１】本発明に係る緩衝材の実施形態を示す斜視図である。
【図２】本発明に係る梱包物を示し、梱包箱を省略した分解斜視図である。
【図３】同上の梱包物の分解斜視図である。
【図４】同上の梱包物の断面図である。
【図５】同上の緩衝材と照明器具を示し、(ａ)は一部省略した分解断面図、(ｂ)は一部省略した断面図である。
【図６】同上の緩衝材と照明器具を示す平面図である。
【図７】(ａ)，(ｂ)は異なる種類の照明器具と緩衝材を示す一部省略した断面図である。
【発明を実施するための形態】
【００１６】
以下、本発明に係る緩衝材並びに梱包物の実施形態を、図１〜図７を参照して詳細に説明する。ただし、以下の説明では、図１において前後左右上下の各方向を規定する。
【００１７】
まず、本実施形態の緩衝材Ａを用いて梱包される照明器具Ｄについて簡単に説明する。この照明器具Ｄは、特許文献１記載の従来例における照明器具と同様に、天井に設けられている引掛シーリングボディに取付アダプタを介して取り付けられるものであって、一般にシーリングライトと称される種類の照明器具である。照明器具Ｄは、図２に示すように円板状に形成されて中央に円形の貫通孔101が設けられた器具本体100、器具本体100の下面側(図２における上面側)に設けられるランプソケット102などを備える。また、貫通孔101の周面には、取付アダプタの係合爪が係脱自在に係合する係合溝103が設けられている。ただし、このような照明器具Ｄは従来周知(例えば、特開２００８−９８１１６号公報参照)であるから、詳細な構成の図示並びに説明は省略する。
【００１８】
緩衝材Ａは、弾性を有する材料、例えば、ポリエチレンやポリブチレンテレフタレートなどの熱可塑性樹脂の成形体として構成され、台座部１、挿入部２、係合部３、支持部４、操作部５などを備える。ただし、緩衝材Ａを形成する材料は熱可塑性樹脂に限定されず、他の合成樹脂や金属あるいは段ボールなどの紙材であっても構わない。
【００１９】
台座部１は、扁平な有底円筒形に形成されている。台座部１の外周面における下部には、台座部１の底面(上面)と平行に突出する４つの脚片９が周方向に沿って等間隔に設けられている。また、各脚片９の先端部上面には、三角錐台形状の嵌合部90が上向きに突設されている。さらに、台座部１の上面(照明器具Ｄの器具本体100が載置される載置面)には、挿入部２を挟んで対向する位置にそれぞれ突部８が突設されており、これらの突部８によって、台座部１の載置面に段差が設けられている。突部８は、台座部１の外周及び挿入部２の外周に沿って弧状に湾曲した略長円錐台形状に形成されている。また、突部８の上面中央には、左右方向を長手方向とする突条部80がそれぞれ突設されている。
【００２０】
挿入部２は、台座部１の上面中央より上向きに突出する扁平な円筒形に形成され、一部がスリット６で分断されることによって、一対の支持部４が一体に設けられている。すなわち、挿入部２の左右両側に、挿入部２の先端(上端)から台座部１に至る一対のスリット６がそれぞれ形成されており、前後方向に隣り合う一対のスリット６に挟まれた部位が支持部４となる。つまり、これらの支持部４は、下端部を支点として上下方向及び左右方向に撓み自在となっている。
【００２１】
係合部３は、各支持部４の先端(上端)において、弧状に湾曲した三角柱形状に形成されている。ただし、係合部３の形状は三角柱形状に限定されるものではなく、係合溝103に係合可能であれば、どのような形状であっても構わない。また、操作部５は、係合部３から挿入部２の内側に突出する矩形平板状に形成されている。さらに、操作部５の上面には、指の腹に沿うように円形の窪み50が形成されている。なお、操作部５は、三角形状の補強板51によって挿入部２の内周面と連結されている(図４及び図５参照)。したがって、操作部５に下向きの操作力が加えられることにより、左側の支持部４が下方向及び右方向に撓み、右側の支持部４が下方向及び左方向に撓むことになる。ただし、操作部５に加えられる操作力が無くなれば、支持部４は弾性力によって元の状態に復帰する。
【００２２】
また挿入部２の内部を前後左右にそれぞれ仕切る３枚の板状のリブ20が設けられている。したがって、これら３枚のリブ20によって挿入部２が補強されるので、操作部５に操作力が加えられた場合の挿入部２の変形が抑制される。
【００２３】
本実施形態の緩衝材Ａは、図２及び図３に示すように保持板Ｂ及び梱包箱Ｃとともに照明器具100の梱包に使用される。
【００２４】
保持板Ｂは、段ボールによって矩形平板状に形成され、中央部に円形の取付孔110が貫通している。また、保持板Ｂにおける取付孔110の周囲には、略三角形状の４つの嵌合孔111が等間隔に貫通している。すなわち、保持板Ｂの下面側から緩衝材Ａの台座部１と挿入部２が取付孔110に挿通され、緩衝材Ａの４つの脚片９に設けられている嵌合部90がそれぞれ嵌合孔111に下から嵌合されることにより、保持板Ｂの中央に緩衝材Ａが取り付けられる(図３及び図４参照)。
【００２５】
梱包箱Ｃは、保持板Ｂと同じく段ボールによって扁平な直方体状に形成され、一つの側面に収納口200が開口し、収納口200の周縁部に４つのフラップ201が設けられている(図３参照)。
【００２６】
次に、照明器具Ｄを梱包する手順について説明する。まず、上述したように保持板Ｂの取付孔110に緩衝材Ａが取り付けられる。そして、天地を逆にした照明器具Ｄが、器具本体100の貫通孔101に緩衝材Ａの挿入部２が挿入されるようにして、保持板Ｂの上に被せられる。挿入部２が貫通孔101に挿入されると、貫通孔101の周面に係合部３の先端が摺接して支持部４が撓み、係合部３の先端が貫通孔101の係合溝103の位置に達すると、支持部４が元の状態に復帰して係合部３が係合溝103に係合する(図４及び図５参照)。係合部３が係合溝103に係合する位置(係合位置)にあるとき、台座部１の上面(載置面)に器具本体100が載置されている。そして、図３及び図４に示すように、緩衝材Ａを介して保持板Ｂに保持された照明器具Ｄが、梱包箱Ｃの収納口200から挿入され、フラップ201が全て閉じられれば、梱包作業が完了する。なお、図４に示すように照明器具Ｄを梱包箱Ｃに梱包した状態のものが、本発明に係る梱包物の実施形態に相当する。
【００２７】
ここで、本実施形態では、取付アダプタの係合爪が係合する係合溝103を、緩衝材Ａの係合部３が係合する被係合部に流用しているが、被係合部は係合溝103に限定されるものではなく、係合溝103以外の被係合部が器具本体100に設けられても構わない。ただし、係合溝103を被係合部に流用すれば、器具本体100の製造コストの上昇が抑えられるという利点がある。
【００２８】
図４に示すように、梱包箱Ｃ内の照明器具Ｄは緩衝材Ａのみで支持されており、梱包箱Ｃには接していない。したがって、輸送中の振動や衝撃が梱包箱Ｃを通して照明器具Ｄに直接加わり難く、しかも、照明器具Ｄに加わる振動や衝撃が緩衝材Ａによって緩衝されるので、振動や衝撃による照明器具Ｄの破損などが防止できる。
【００２９】
続いて、上述のように梱包された照明器具Ｄを開梱する手順について説明する。まず、フラップ201が全て開かれた後、収納口200を通して梱包箱Ｃの中から保持板Ｂに保持された照明器具Ｄが引き出される。次に、一対の操作部５が上から指で押されて支持部４が撓むと、図５(ｂ)に破線で示すように係合部３が貫通孔101の係合溝103から離脱する。そして、係合部３が係合溝103から離脱した位置(非係合位置)にあるとき、照明器具Ｄが引き上げられて緩衝材Ａの挿入部２が器具本体100の貫通孔101から抜けると、緩衝材Ａ及び保持板Ｂが照明器具Ｄから取り外されて開梱作業が完了する。なお、緩衝材Ａは保持板Ｂから容易に取り外すことができるので、保持板Ｂや梱包箱Ｃとの分別廃棄が容易である。
【００３０】
上述のように本実施形態の緩衝材Ａを用いれば、操作部５に操作力を加えて係合部３を係合位置から非係合位置に変位させることにより、係合部３を係合溝103から離脱させることができる。その結果、特許文献１記載の従来例において、固定緩衝材に設けられている４つの突起を全て溝から脱出させて固定緩衝材を器具本体から取り外す場合と比較して、緩衝材Ａを容易に照明器具Ｄから取り外すことができ、開梱作業の作業性向上を図ることができる。ただし、操作部５は一対の場合に限らず、例えば、１箇所又は３箇所以上に設けられても構わない。また、操作部５が３箇所以上に設けられる場合においては、１回の操作で解除可能なように、これらの操作部５が近傍に設けられることが好ましい。
【００３１】
また、挿入部２の一部がスリット６で分断されることにより、係合部３を支持する支持部４が挿入部２と一体に形成されているので、部品点数の削減による製造コストの減少と係合部３の変位量の増大が図れるという利点がある。
【００３２】
ところで、嵌合溝103から器具本体100の上面(図７においては下面)までの距離(以下、単に距離という)は、照明器具の機種によって相違する場合がある。例えば、２種類の照明器具Ｄ１，Ｄ２において、図７(ａ)に示す照明器具Ｄ１における距離ｈ１は、図７(ｂ)に示す照明器具Ｄ２における距離ｈ２よりも長い(ｈ２＜ｈ１)。
【００３３】
そして、照明器具Ｄ１の場合、図７(ａ)に示すように緩衝材Ａの台座部１における下段の載置面に器具本体100が載置される。一方、照明器具Ｄ２の場合、図７(ｂ)に示すように緩衝材Ａの台座部１における上段の載置面(突部８の上面)に器具本体100が載置される。すなわち、本実施形態の緩衝材Ａは、台座部１の載置面に段差(突部８)が設けられているため、嵌合溝103から器具本体100の載置面(上面)までの距離が相違する複数種類の照明器具Ｄ１，Ｄ２に対して、台座部１の載置面に器具本体100が載置可能である。したがって、複数種類の照明器具Ｄ１，Ｄ２に対して１種類の緩衝材Ａが共通して使用できるので、梱包資材に要する費用の削減を図ることができる。
【符号の説明】
【００３４】
Ａ  緩衝材
Ｄ  照明器具
１  台座部
２  挿入部
３  係合部
４  支持部
５  操作部
100  器具本体
101  貫通孔
103  係合溝(被係合部)
【図１】
0005914822.tif 000002
【図２】
0005914822.tif 000003
【図３】
0005914822.tif 000004
【図４】
0005914822.tif 000005
【図５】
0005914822.tif 000006
【図６】
0005914822.tif 000007
【図７】
0005914822.tif 000008